(57)【特許請求の範囲】
【請求項１】
固定接点と、可動接点と、外部から入力された制御信号に応じて可動接点を駆動して固定接点に離接させる電磁石装置と、固定接点と可動接点との間に流れる電流を検出するカレントトランスと、固定接点と可動接点と電磁石装置とカレントトランスとをそれぞれ収納するハウジングとを備え、
カレントトランスは、ハウジング内において電磁石装置を挟んで固定接点と可動接点との反対側に配置されていて、
電磁石装置が可動接点を駆動する方向は、固定接点と可動接点と電磁石装置とカレントトランスとが並ぶ方向であって、
電磁石装置とカレントトランスとの間に配置され電磁石装置とカレントトランスとを引き離す方向のばね力を有し電磁石装置に弾接するとともにカレントトランスをハウジングの内面との間に挟む押さえばねを備えることを特徴とするリモコンリレー。
【請求項２】
押さえばねは導電材料からなる板ばねであって、ハウジング外に露出する端子部を有することを特徴とする請求項１記載のリモコンリレー。
【発明の詳細な説明】
【技術分野】
【０００１】
本発明は、リモコンリレーに関するものである。
【背景技術】
【０００２】
従来から、固定接点と可動接点とからなり電源から負荷への給電路に挿入された接点と、外部から入力される制御信号に応じて可動接点を駆動して該接点を開閉（オンオフ）することにより負荷への給電をオンオフする電磁石装置とがそれぞれハウジングに収納されてなるリモコンリレーが提供されている。
【０００３】
また、リモコンリレーと、リモコンリレーに対して制御信号を送信することによりリモコンリレーをオンオフ制御する制御装置とを備える給電システムにおいて、リモコンリレーに流れる電流を検出するカレントトランスと、カレントトランスによって検出された電流に基いて異常の有無を判定し異常が有ると判定されたときには異常の報知やリモコンリレーのオフ制御を行う異常検出装置とを備えるものもある（例えば、特許文献１参照）。
【０００４】
さらに、上記のような給電システムの見栄えを改善するために、カレントトランスをリモコンリレーのハウジングに収納することが提案されている。
【特許文献１】特開平１１−１１１１４０号公報
【発明の開示】
【発明が解決しようとする課題】
【０００５】
しかしながら、リモコンリレーの接点の開閉時（すなわち固定接点と可動接点との離接時）には、接点において熱や電磁ノイズが発生する。そして、リモコンリレーのハウジングにカレントトランスを収納した場合、上記の熱や電磁ノイズが、カレントトランスによる電流の検出に影響を与えることがあった。
【０００６】
本発明は、上記事由に鑑みて為されたものであり、その目的は、固定接点と可動接点との離接に伴って発生する熱や電磁ノイズが電流の検出に影響を与えにくいリモコンリレーを提供することにある。
【課題を解決するための手段】
【０００７】
請求項１の発明は、固定接点と、可動接点と、外部から入力された制御信号に応じて可動接点を駆動して固定接点に離接させる電磁石装置と、固定接点と可動接点との間に流れる電流を検出するカレントトランスと、固定接点と可動接点と電磁石装置とカレントトランスとをそれぞれ収納するハウジングとを備え、カレントトランスは、ハウジング内において電磁石装置を挟んで固定接点と可動接点との反対側に配置されていて、電磁石装置が可動接点を駆動する方向は、固定接点と可動接点と電磁石装置とカレントトランスとが並ぶ方向であって、電磁石装置とカレントトランスとの間に配置され電磁石装置とカレントトランスとを引き離す方向のばね力を有し電磁石装置に弾接するとともにカレントトランスをハウジングの内面との間に挟む押さえばねを備えることを特徴とする。
【０００８】
この発明によれば、電磁石装置に関してカレントトランスが固定接点及び可動接点と同じ側に配置される場合に比べ、固定接点と可動接点との離接に伴って発生する熱や電磁ノイズが電流の検出に影響を与えにくい。また、電磁石装置の動作時の振動を抑制するばねと、カレントトランスのがたつき防止用のばねとを別途に設ける場合に比べ、部品点数が減少することにより製造コストの低減が可能となる。
【００１１】
請求項２の発明は、請求項１の発明において、押さえばねは導電材料からなる板ばねであって、ハウジング外に露出する端子部を有することを特徴とする。
【００１２】
この発明によれば、押さえばねの端子部を外部のグランドに接触導通させることにより、電磁石装置とカレントトランスとの間で電磁ノイズの阻止が可能となる。
【発明の効果】
【００１３】
請求項１の発明によれば、カレントトランスは、ハウジング内において電磁石装置を挟んで固定接点と可動接点との反対側に配置されているので、電磁石装置に関してカレントトランスが固定接点及び可動接点と同じ側に配置される場合に比べ、固定接点と可動接点との離接に伴って発生する熱や電磁ノイズが電流の検出に影響を与えにくい。
【００１４】
請求項２の発明によれば、電磁石装置が可動接点を駆動する方向は、固定接点と可動接点と電磁石装置とカレントトランスとが並ぶ方向であって、電磁石装置とカレントトランスとの間に配置され電磁石装置とカレントトランスとを引き離す方向のばね力を有し電磁石装置に弾接するとともにカレントトランスをハウジングの内面との間に挟む押さえばねを備えるので、電磁石装置の動作時の振動を抑制するばねと、カレントトランスのがたつき防止用のばねとを別途に設ける場合に比べ、部品点数が減少することにより製造コストの低減が可能となる。
【００１５】
請求項３の発明によれば、押さえばねは導電材料からなる板ばねであって、ハウジング外に露出する端子部を有するので、押さえばねの端子部を外部のグランドに接触導通させることにより、電磁石装置とカレントトランスとの間で電磁ノイズの阻止が可能となる。
【発明を実施するための最良の形態】
【００１６】
以下、本発明を実施するための最良の形態について、図面を参照しながら説明する。
【００１７】
本実施形態は、図１に示すように、固定接点１１と可動接点１２とからなる接点１と、、外部から入力された制御信号に応じて可動接点１２を駆動して固定接点１１に離接させる（つまり接点１をオンオフ駆動する）電磁石装置２と、固定接点１１と可動接点１２との間に（つまり接点１に）流れる電流を検出するカレントトランス３と、接点１と電磁石装置２とカレントトランス３とをそれぞれ収納するハウジング４とを備える。以下、上下左右は図１（ａ）を基準とし、図１（ｂ）の下上方向を前後方向と呼ぶ。
【００１８】
ハウジング４は、前面に凹部が開口したボディ４１と、ボディ４１の前側に機械的に結合して接点１と電磁石装置２とカレントトランス３とが収納される空間をボディ４１との間に構成するカバー４２とを備える。ボディ４１とカバー４２とはそれぞれ例えば合成樹脂成型品からなる。
【００１９】
ハウジング４の左端部には、電源に電気的に接続された電線（図示せず）の一端が接続される電源側端子５ａと、負荷に電気的に接続された電線（図示せず）の一端が接続されるとともに接点１を介して電源側端子５ａに電気的に接続される負荷側端子５ｂとが、２組保持されている。さらに、ハウジング４の右上端部には、制御信号を伝送する２線式の信号線（図示せず）が接続される一対の制御端子５ｃが前後に並べて設けられている。ハウジング４は、例えば合成樹脂成型品からなり電源側端子５ａ間と負荷側端子５ｂ間とに介在して絶縁する仕切り４３を備える。上記の各端子５ａ〜５ｃは、それぞれいわゆるねじ端子であって、金属板からなり一部がハウジング４外に露出して一部がハウジング４内に収納された端子板５１ａ〜５１ｃと、電線又は信号線を端子板５１ａ〜５１ｃとの間に挟持する座金５２と、座金５２に挿通されるとともに端子板５１ａ〜５１ｃに螺合した端子ねじ５３とを備える。
【００２０】
ハウジング４内の左端部には、金属板からなる固定接点台６１が厚さ方向を左右方向に向けて固定されており、固定接点１１は固定接点台６１の右面に設けられている。また、固定接点台６１は、柔軟な電線（以下、「電源側電線」と呼ぶ。）６２を介して電源側端子５ａの端子板５１ａに電気的に接続されている。
【００２１】
また、電磁石装置２は、コイル（図示せず）を有しハウジング４内において接点１よりも右側においてハウジング４に対して固定された本体部２１と、少なくとも一部が磁性体からなり本体部２１に対して左右にスライド可能なスライダ２２とを有し、制御端子５１ｃから入力された制御信号に応じて本体部２１のコイルが発生させる磁力によってスライダ２２を左右にスライドさせるものである。このような電磁石装置２は周知技術で実現可能であるので、詳細な説明及び図示は省略する。
【００２２】
さらに、本実施形態は、電磁石装置２の本体部２１に対して図１（ａ）の面内で回転可能に連結されるとともに電磁石装置２の本体部２１に対する回転軸よりも下側において電磁石装置２のスライダ２２に連結された可動枠７を備える。可動枠７は例えば合成樹脂成型品からなる。可動枠７には金属板からなる可動接触子６３が厚さ方向を略左右方向に向けて可動枠７に左右から挟まれる形で保持されており、可動接点１２は、可動接触子６３の下端部の左面に設けられている。すなわち、電磁石装置２は、スライダ２２を左右にスライドさせて可動枠７と可動接触子６３とをそれぞれ回転させることにより固定接点１１に離接させるように可動接点１２を駆動する。また、可動接触子６３は、柔軟な電線（以下、「負荷側電線」と呼ぶ。）６４を介して負荷側端子５ｂの端子板５１ｂに電気的に接続されている。
【００２３】
そして、図１（ａ）のように電磁石装置２のスライダ２２が左方にスライドした状態では、可動接点１２は固定接点１１に接触導通して接点１はオン状態となって電源側端子５ａと負荷側端子５ｂとが電気的に接続される。また、図１（ａ）のようなオン状態から電磁石装置２のスライダ２２が右方にスライドすると、可動枠７と可動接触子６３とがそれぞれハウジング４に対して反時計回りに回転し、可動接点１２は固定接点１１から離れて接点１はオフ状態となり、電源側端子５ａと負荷側端子５ｂとの電気的な接続は切断される。また、可動接触子６３は可動枠７に対して図１（ａ）の面内である程度回転可能となっており、可動接触子６３と可動枠７との間には、圧縮コイルばねからなり可動接触子６３を可動枠７に対して時計回りに回転させるように付勢する接圧ばね７１が介装されていて、接点１がオン状態のときには接圧ばね７１のばね力によって可動接点１２の固定接点１１に対する接圧が確保される。さらに、ハウジング４の上面には、可動枠７の上端面の一部を露出させる表示穴４ａが設けられており、可動枠７の上端面において接点１がオン状態であるときに表示穴４ａから露出する部位には接点１がオン状態であることを示す表示が付されるとともに、可動枠７の上端面において接点１がオフ状態であるときに表示穴４ａから露出する部位には接点１がオフ状態であることを示す表示が付されている。すなわち、可動枠７の上面に付された表示を表示穴４ａを通じて確認することで、接点１のオンオフを確認することができる。
【００２４】
また、カレントトランス３はトロイダルコア（図示せず）とトロイダルコアに巻回された巻線（図示せず）とを備える図３に示すような円環形状のものであって、軸方向を左右方向に向けてハウジング４内において電磁石装置２の本体部２１の右側（すなわち電磁石装置２を挟んで接点１の反対側）に収納されている。電源側電線６２は、電磁石装置２１の下側を通じてカレントトランス３に挿通された後、再び電磁石装置２１の下側を通じて電磁石装置２１の左側に戻されている。つまり、電源側電線６２がカレントトランス３の一次側となるのであり、電源側電線６２を流れる電流によってカレントトランス３の巻線に誘導された電流がカレントトランス３から出力される。それぞれ一端がカレントトランス３の巻線の一端ずつに接続された一対の出力線３１は、図２に示すように、ハウジング４の右端面に設けられた貫通穴（図示せず）を通じて右方（図２での右下方）へ引き出されており、各出力線３１はそれぞれ他端をコネクタ３２に接続されている。コネクタ３２は、従来例で述べた異常検出装置のようにカレントトランス３の出力を用いる装置への接続に用いられる。このようなコネクタ３２は周知技術で実現可能であるので、詳細な図示並びに説明は省略する。さらに、ハウジング４のすぐ外側には、一対の出力線３を囲む筒形状のブッシュ３３が設けられている。
【００２５】
上記構成によれば、カレントトランス３がハウジング４内において電磁石装置２を挟んで接点１の反対側に配置されているので、例えばカレントトランス３を電磁石装置２の左側に配置するといったように、電磁石装置２に関してカレントトランス３が接点１と同じ側に配置される場合に比べ、接点１のオンオフ（固定接点１１と可動接点１２との離接）に伴って発生する熱や電磁ノイズが、カレントトランス３による電流の検出に影響を与えにくい。
【００２６】
なお、カレントトランス３の出力を取り出すための出力線３１を上記のようにハウジング４から引き出す代わりに、図４（ａ）（ｂ）に示すように出力線３１をハウジング４に収納するとともにコネクタ３２をハウジング４から露出させる形でハウジング４に保持してもよい。この構成を採用すれば、図１（ａ）（ｂ）や図２の例と違い、カレントトランス３の出力が利用されないときには出力線３１やコネクタ３２が邪魔になることがない。
【００２７】
さらに、図５〜図７に示すように、電磁石装置２とカレントトランス３との間に配置され電磁石装置２とカレントトランス３とを引き離す方向のばね力を有し電磁石装置２に弾接するとともにカレントトランス３をハウジング４の左向きの内面との間に挟む押さえばね８を設けてもよい。詳しく説明すると、押さえばね８は、厚さ方向を左右方向に向けて前後方向の両端部が前後方向の中央部よりも左方向に突出して電磁石装置２の本体部２１の右面に弾接する電磁石押さえ部８１と、厚さ方向を左右方向に向けて前後方向の両端部が前後方向の中央部よりも右方向に突出してカレントトランス３の左面に弾接するカレントトランス押さえ部８２と、電磁石押さえ部８１の前端部（図７での左下端部）とカレントトランス押さえ部８２の前端部とを連結する連結部８３とを有する。また、電磁石押さえ部８１には、電磁石装置２のスライダ２２を避ける切欠８１ａが設けられている。この構成を採用すれば、接点１のオンオフが切り換えられる際のスライダ２２の変位に伴う電磁石装置２の左右方向の振動が、押さえばね８の電磁石押さえ部８１によって抑制される。また、図８〜図１０に示すようにカレントトランス押さえ部８２を設けず電磁石押さえ部８１のみで押さえばね８を構成する場合と違い、ハウジング４に対するカレントトランス３のがたつきを押さえばね８のカレントトランス押さえ部８２によって抑制することができる。
【００２８】
ここで、上記の押さえばね８の材料としては、電磁石装置２とカレントトランス３との絶縁の観点からは、例えば合成樹脂のような絶縁材料を用いることが望ましい。ただし、押さえばね８の材料として金属などの導電材料を用いる場合、図１１及び図１２に示すように押さえばね８の下端から端子部８４を下方に突設し、ハウジング４の下面においてボディ４１とカバー４２との間に設けられたグランド穴４ｂから端子部８４を露出させるとともに、端子部８４をハウジング４の外部のグランド（例えば、図示しない金属製の筐体）に接触導通させることで、接点１や電磁石装置２とカレントトランス３との間で押さえばね８によって電磁ノイズを阻止することが可能となる。
【図面の簡単な説明】
【００２９】
【図１】（ａ）（ｂ）はそれぞれ本実施形態を示し、（ａ）はカバーを取り外した正面図、（ｂ）は平面図である。
【図２】同上を示す斜視図である。
【図３】同上に用いられるカレントトランスを示す斜視図である。
【図４】（ａ）（ｂ）はそれぞれ同上の変更例を示し、（ａ）はカバーを取り外した正面図、（ｂ）は平面図である。
【図５】（ａ）（ｂ）はそれぞれ同上の別の変更例を示し、（ａ）はカバーを取り外した正面図、（ｂ）は（ａ）のＡ−Ａ断面での断面図である。
【図６】図５（ｂ）の要部拡大図である。
【図７】図５の例を示す、カバーを省略した分解斜視図である。
【図８】（ａ）（ｂ）はそれぞれ図５の例の比較例を示し、（ａ）はカバーを取り外した正面図、（ｂ）は（ａ）のＢ−Ｂ断面での断面図である。
【図９】図８（ｂ）の要部拡大図である。
【図１０】図８の例を示す、カバーを省略した分解斜視図である。
【図１１】同上の更に別の変更例を示す、カバーを省略した分解斜視図である。
【図１２】図１１の例を示す下面図である。
【符号の説明】
【００３０】
２  電磁石装置
３  カレントトランス
４  ハウジング
８  押さえばね
１１  固定接点
１２  可動接点
【図１】
0004844592.tif 000002
【図２】
0004844592.tif 000003
【図３】
0004844592.tif 000004
【図４】
0004844592.tif 000005
【図５】
0004844592.tif 000006
【図６】
0004844592.tif 000007
【図７】
0004844592.tif 000008
【図８】
0004844592.tif 000009
【図９】
0004844592.tif 000010
【図１０】
0004844592.tif 000011
【図１１】
0004844592.tif 000012
【図１２】
0004844592.tif 000013